(57)【要約】【課題】取付タイプ或いは厚さが異なるコネクタに対応しながら、部品の製造コストを低減できると共に組立コストも低減することができるコネクタの取付装置を提供する。【解決手段】リセプタクル１４は第２部材１６の一対の腕部２１にネジ止めされており、第１部材１５のコネクタ装着用窓部１９を貫通してパネル１１の窓部１２から前方を臨んでいる。第２部材１６は、１箇所の曲げ加工のみで製造することができるので、２箇所で曲げ加工していた従来のものに比較して、製造コストを低減することができる。また、第２部材１６はリセプタクル１４に対して一対の腕部２１により２箇所でネジ止めされているので、第２部材１６がリセプタクル１４に対して回転してしまうことはなく、容易に組立てることができ、組立コストを低減することができる。【選択図】図１
2008186593.tif 000002
【特許請求の範囲】
【請求項１】
パネルに形成された窓部を通じて外方を臨むようにコネクタを取付けるコネクタの取付装置において、
前記パネルに前記窓部を内側から閉鎖するように前面からネジ止めされ、その閉鎖状態で前記窓部を通じて外方を臨むコネクタ装着用窓部が形成された取付部と、前記取付部と直角形状をなすように一体形成され、前記パネルに対して垂直方向となる奥方に延びる延設部とを有した板金製の第１部材と、
前記第１部材の前記延設部に載置状態でネジ止めされる載置部と、前記載置部と直角形状をなすように一体形成され、前記コネクタが前記第１部材の前記コネクタ装着用窓部を貫通して前方を臨むように前記コネクタの両側に設けられたネジ孔にネジ止めされる一対の腕部とを有した板金製の第２部材とを備えたことを特徴とするコネクタの取付装置。
【請求項２】
前記第１部材は、前記コネクタに接続されたケーブルのグランドラインの接続端子がネジ止めされていることを特徴とする請求項１記載のコネクタの取付装置。
【発明の詳細な説明】
【技術分野】
【０００１】
本発明は、パネルに形成された窓部を通じて外方を臨むようにコネクタを取付けるコネクタの取付装置に関する。
【背景技術】
【０００２】
この種の取付装置として種々のものが提案されているが（特許文献１参照）、簡単な取付方法として、図１１に示すようにパネル１に形成された図示しない窓部から前面を臨むようにコネクタ２をパネル１の前面からネジ３により固定し、そのコネクタ２にパネル１の前方から相手側のコネクタ４を装着することが行われている。
【特許文献１】実開昭５５−１５７９４号公報
【発明の開示】
【発明が解決しようとする課題】
【０００３】
図１１に示す構造の場合、相手側のコネクタ４としてはワンタッチロックタイプのものを接続することは可能であるものの、コネクタ２をパネル１にネジ止めするためのネジ３が邪魔となり、ジャックスクリュータイプのコネクタ４をコネクタ２にネジ止めできないという問題がある。
【０００４】
このような問題を解決するために、出願人は、コネクタの取付装置として汎用性を持たせるようにした。
図１２は取付装置の平面図、図１３は取付装置の分解斜視図である。これらの図１２及び図１３において、パネル１に形成された窓部５からコネクタ２が外方を臨むように取付装置６をパネル１の裏側に取付けるようにしている。
【０００５】
この取付装置６は、次のようにして組立てられている。
（１）コネクタ２に設けられたネジ孔２ａに対して、裏側から２個の板金部材７をネジ止めする。
（２）板金部材８に形成されたコネクタ装着用窓部９にコネクタ２を貫通させた状態で、板金部材８の裏側に板金部材７をネジ止めする。
（３）パネル１の前面から板金部材８をネジ止めする。
【０００６】
このような構成によれば、コネクタ２の裏側から板金部材７をネジ止めしているから、コネクタ２の前面側にはネジ孔２ａが露出することになる。従って、相手側のコネクタ４としては、ワンタッチロックタイプに加えてジャックスクリュータイプのものも使用可能となる。また、板金部材７の高さ寸法を変更することにより、厚さ寸法が異なるコネクタ２にも対応することができる。
【０００７】
しかしながら、上述した構成のものでは、次のような欠点がある。
（１）板金部材７は、２箇所の曲げ間隔が短いことから、製造が困難であり、部品の製造コストが高いと共に、コネクタ２の厚さ寸法によっては製作できない場合がある。
（２）コネクタ２の厚さ寸法が短くて板金部材７の製造が困難な場合は、パネル１に対してコネクタ２の位置が奥方となるように設定すれば、板金部材７の曲げ間隔の寸法が大きくなって製造が容易となるものの、コネクタ２の接続面が奥に引っ込むことから、相手側のコネクタ４を接続する際に、コネクタ４がパネル１に干渉してしまうようになり、採用することができない。
（３）板金部材７はコネクタ２に対して１点止めであることから、コネクタ２にネジ止めした状態で回転してしまい、取付位置の精度を確保することができない。このため、部品を組付けるときに一々調整する必要があり、組立コストが高い。
【０００８】
本発明は上記事情に鑑みてなされたもので、その目的は、取付タイプ或いは厚さが異なるコネクタに対応しながら、部品の製造コストを低減できると共に組立コストも低減することができるコネクタの取付装置を提供することにある。
【課題を解決するための手段】
【０００９】
請求項１の発明によれば、コネクタは第２部材の一対の腕部にネジ止めされており、第１部材のコネクタ装着用窓部を貫通してパネルの窓部から前方を臨んでいる。
ここで、厚さ寸法の異なるコネクタを装着する場合は、第１部材の延設部に対する第２部材の載置部のネジ取付け位置を調整することにより対応することができる。この場合、第２部材は、従来のものと違って、１箇所の曲げ加工のみで製造することができるので、製造コストを低減することができる。また、第２部材はコネクタに対して一対の腕部により２箇所でネジ止めされているので、第２部材がコネクタに対して回転してしまうことはなく、容易に組立てることができ、組立コストを低減することができる。
【００１０】
請求項２の発明によれば、取付装置をグランド接続する場合に、接続端子を第１部材に面接触状態でネジ止めすることができるので、取付装置のグランド強化を確実に図ることができ、耐ノイズ性を高めることができる。
【発明を実施するための最良の形態】
【００１１】
以下、本発明の一実施例について図１ないし図１０を参照して説明する。
図３は、パネルの正面図である。この図３において、図示しない筺体にはパネル１１が設けられており、このパネル１１に横長矩形状の窓部１２が形成されていると共に、その窓部１２の両側に一対の孔１１ａ（図１参照）が形成されている。
ここで、パネル１１の裏側において窓部１２と対応する部位にはコネクタの取付装置１３が固定されている。この取付装置１３にはリセプタクル（コネクタに相当）１４が取付けられており、そのリセプタクル１４がパネル１１の窓部１２から前方を臨んでいる。
【００１２】
図１は取付装置１３の分解斜視図、図２は取付装置１３の組立斜視図である。これらの図１及び図２において、取付装置１３は、板金製の第１部材１５と第２部材１６とを組合わせて構成されている。第１部材１５は、パネル１１の裏側において窓部１２を閉鎖するようにネジ止めされている。第２部材１６は、第１部材１５に載置状態で取付けられており、その第２部材１６の前面にリセプタクル１４が取付けられている。
【００１３】
図４は第１部材１５の平面図、図５は第１部材１５の正面図である。これらの図４及び図５において、第１部材１５は冷間圧延鋼板を板金形成してなり、パネル１１にネジ止めされる取付部１７と、この取付部１７と直角形状をなすように一体形成された延設部１８とを有して構成されている。取付部１７には横長矩形状のコネクタ装着用窓部１９が形成されていると共に、そのコネクタ装着用窓部１９の両側に一対のネジ孔１７ａが所定距離離間してバーリング形成されている。延設部１８は、取付部１７がパネル１１にネジ止めされた状態でパネル１１に対して垂直方向の奥方に延設した形態となる。この延設部１８には一対の位置決め用ボス１８ａが長手方向に所定距離離間してバーリング形成されていると共に、それらのボス１８ａの両側に一対のネジ孔１８ｂが長手方向に所定距離離間してバーリング形成され、さらにネジ孔１８ｃがバーリング形成されている。このような直角形状の第１部材１５に要する曲げ加工は１回のみとなっている。
【００１４】
図６は第２部材１６の平面図、図７は第２部材１６の正面図である。これらの図６及び図７において、第２部材１６は冷間圧延鋼板を板金形成してなり、第１部材１５の延設部１８に載置状態でネジ止めされる載置部２０と、この載置部２０と直角形状をなすように一体形成された一対の腕部２１を有して構成されている。載置部２０には、孔２０ａと長孔２０ｂとが長手方向に所定距離離間して形成されていると共に、それらの両側に一対の孔２０ｃが長手方向に所定距離離間して形成されている。一対の腕部２１は、載置部２０が第１部材１５の延設部１８に載置された状態でパネル１１に対して平行に対面した形態となる。この腕部２１には孔２１ａが形成されており、それらのピッチがリセプタクル１４のネジ孔１４ａ（図１参照）の距離となるように設定されている。このような直角形状の第２部材１６に要する曲げ加工は１回のみとなっている。
【００１５】
図８はリセプタクル１４の平面図、図９はリセプタクル１４の正面図である。これらの図８及び図９において、リセプタクル１４は、市販されている汎用品であり、前面にプラグ接続部２２が設けられていると共に、裏面にプラグ接続部２２に対応してケーブル端子接続部２３が設けられている。プラグ接続部２２の両側には一対のワイヤー引掛部２４が設けられ、さらにそれらのワイヤー引掛部２４の両側に一対のネジ孔１４ａが貫通形成されている。ワイヤー引掛部２４は、ワンタッチロックタイプのプラグに設けられたワイヤーが装着されるために設けられている。ネジ孔１４ａは、ネジマウントタイプのプラグがジャックスクリューネジによりネジ止め可能となっている。
【００１６】
次に、図１を参照して取付装置１３の組立方法について説明する。尚、取付装置１３を組立てるのに先立って、リセプタクル１４の裏側の端子にフラットケーブル２５の接続端子２６を接続する。また、図１では、フラットケーブル２５の図示を省略した。
（１）第２部材１６の腕部２１の孔２１ａを通じてリセプタクル１４のネジ孔１４ａを裏側からネジ止めする。
（２）第２部材１６の載置部２０を第１部材１５の延設部１８に位置決めする。つまり、延設部１８に形成されたボス１８ａを第２部材１６の載置部２０に形成された孔２０ａ及び長孔２０ｂに挿入する。このとき、第２部材１６の腕部２１に取付けられたリセプタクル１４を第１部材１５の取付部１７に形成されたコネクタ装着用窓部１９に位置させる。
（３）第２部材１６の載置部２０に形成された孔２０ｃを通じて第１部材１５の延設部１８に形成されたネジ孔１８ｂにネジ止めする。
（４）パネル１１に形成された孔１１ａを通じてパネル１１の前面から第１部材１５の取付部１７に形成されたネジ孔１７ａにネジ止めする。
（５）リセプタクル１４に接続されたフラットケーブル２５のうちグランドライン２５ａの先端に接続された接続端子２７を第１部材１５の延設部１８に形成されたネジ孔１８ｃにネジ止めする（図１０参照）。
【００１７】
以上のような組立により、図３に示すようにパネル１１に形成された窓部１２からリセプタクル１４が外方を臨むようになるので、そのリセプタクル１４のプラグ接続部２２にプラグ２８を接続する（図１０参照）。このとき、ワンタッチロックタイプのプラグ２８を装着する場合は、プラグ２８のワイヤーをリセプタクル１４のワイヤー引掛部２４に引掛ける。また、ネジ取付けタイプのプラグ２８を装着する場合は、プラグ２８をジャックスクリューネジによりリセプタクル１４のネジ孔１４ａにネジ止めする。
【００１８】
このような実施例によれば、第２部材１６に形成された一対の腕部２１にリセプタクル１４をネジ止めすると共に、その第２部材１６を第１部材１５に載置状態でネジ止めすることによりリセプタクル１４をパネル１１に装着するようにしたので、第２部材として直角形状のものを用いることができる。従って、取付タイプの異なるプラグに対応しながら、部品の製造コストを低減することができる。また、リセプタクル１４にネジ止めされる部材が１個の第２部材１６で済むので、第２部材１６がリセプタクル１４に対して回転してしまうことを防止できる。従って、組立が容易となり、組立コストの低減も図ることができる。
【００１９】
また、厚さ寸法が異なるリセプタクル１４を装着する場合は、第１部材１５に対する第２部材１６の前後方向の取付け位置を調節することで、プラグ２８の接続のし易さを損なわない位置に組付けることができる。
さらに、パネル１１、第１部材１５、第２部材１６の全てが面接触しているので、従来のものに比較して、各部品の導通性が高くなり、耐ノイズ性能を高めることができる。
加えて、グランドライン２５ａの端子２７も第２部材に面接触させた状態で取付けることができるので、グランド強化を確実に図ることができ、この点においても耐ノイズ性を高めることができる。
【００２０】
本発明は、上記実施例に限定されることなく、次のように変形または拡張できる。
外形寸法の異なるコネクタを使用する場合は、それらの寸法に合わせてパネル１１の窓部１２、第１部材１５、第２部材１６の寸法を変更することにより容易に対応することができる。
パネル１１は筺体と別部材であってもよいし、同一部材であってもよい。
第１部材１５の延設部１８に形成したボス１８ａを省略するようにしてもよい。
【図面の簡単な説明】
【００２１】
【図１】本発明の一実施例における取付装置の分解斜視図
【図２】取付装置の組立斜視図
【図３】パネルの窓部の正面図
【図４】第１部材の平面図
【図５】第１部材の正面図
【図６】第２部材の平面図
【図７】第２部材の正面図
【図８】リセプタクルの平面図
【図９】リセプタクルの正面図
【図１０】コネクタの連結状態で示す取付装置の平面図
【図１１】従来例を示す図１０相当図
【図１２】異なる従来例を示す図１０相当図
【図１３】図１相当図
【符号の説明】
【００２２】
図面中、１１はパネル、１２は窓部、１３は取付装置、１４はリセプタクル（コネクタ）、１５は第１部材、１６は第２部材、１７は取付部、１８は延設部、１９はコネクタ装着用窓部、２０は載置部、２１は腕部である。
【図１】
2008186593.tif 000003
【図２】
2008186593.tif 000004
【図３】
2008186593.tif 000005
【図４】
2008186593.tif 000006
【図５】
2008186593.tif 000007
【図６】
2008186593.tif 000008
【図７】
2008186593.tif 000009
【図８】
2008186593.tif 000010
【図９】
2008186593.tif 000011
【図１０】
2008186593.tif 000012
【図１１】
2008186593.tif 000013
【図１２】
2008186593.tif 000014
【図１３】
2008186593.tif 000015